【手続補正書】
【提出日】平成23年8月25日(2011.8.25)
【手続補正１】
【補正対象書類名】明細書
【補正対象項目名】００１６
【補正方法】変更
【補正の内容】
【００１６】
あるいは、上記複数のセグメント照明体をそれぞれ、白色光源と、その発光光をガイドする着色された導光板と、その導光板における上記セグメント領域を照明する光の出射面以外の外周面を覆う反射シートとによって構成してもよい。これによっても、照明効率を高めるとともに照明光量を平均化することができ、表示色を任意に設定することができる。特に、黄色に着色された導光板を使用することによって、表示色が黄色と黒になり視認性が向上する。
もしくは、上記複数のセグメント照明体がそれぞれ、白色光源と、その発光光を彩色する部材とを備えるようにしてもよい。それによっても、表示色を任意に設定することができ、発光光を黄色に彩色する部材を使用すれば、表示色が黄色と黒になり視認性が向上する。
【手続補正２】
【補正対象書類名】明細書
【補正対象項目名】００１７
【補正方法】変更
【補正の内容】
【００１７】
これらの表示装置において、上記表示体の複数の各セグメント領域を個別に反射率が高い高反射率状態と反射率が低い低反射率状態とに二値的に変化させて可変表示をさせる表示駆動回路と、その表示駆動回路による各セグメント領域の反射率を変化させる動作と連動して上記複数の各セグメント照明体の発光を制御し、上記各セグメント領域のうち高反射率状態になったセグメント領域を照明するセグメント照明体のみを発光させる発光駆動回路とを設けるのが望ましい。
これによって、上記表示体の複数のセグメント領域のうち、高反射率状態になったセグメント領域はセグメント照明体によって照明されて明るく見え、低反射率状態になったセグメント領域は照明されないため黒さが損なわれず、極めてコントラストのよい表示がなされる。しかも、必要最小限のセグメント照明体だけを発光させるので、消費電力の節減にもなる。
【手続補正３】
【補正対象書類名】明細書
【補正対象項目名】００２７
【補正方法】変更
【補正の内容】
【００２７】
〔第２の実施形態〕
次に、この発明による表示装置の第２の実施形態を図３によって説明する。この実施形態において第１の実施形態と異なるのは、図１に相当する平面図は省略しているが、各セグメント領域１ａ〜１ｇごとに、その表示面側に重なるように、各セグメント照明体２ａ〜２ｇからの光を散乱させながら導く導光シート８を配置した点である。
図３は第１の実施形態の図２に相当する図であり、各セグメント領域１ｅ，１ｇに対して、その表示面側に重なるように、各セグメント照明体２ｅ，２ｇからの光を散乱させながら導く導光シート８をそれぞれ配設している。他の各セグメント領域１ａ，１ｂ，１ｃ，１ｄ，１ｆに対しても同様に導光シート８を配置している。
【手続補正４】
【補正対象書類名】明細書
【補正対象項目名】００３３
【補正方法】変更
【補正の内容】
【００３３】
〔第４の実施形態〕
次に、この発明による表示装置の第４の実施形態を図７および図８によって説明する。前述した第３の実施形態と同様に、図７はその表示装置の平面図、図８はそのＸ−Ｘ線に沿う模式的な断面図であり、図４及び図５と同じ部分には同一の符号を付してあり、それらの説明は省略する。この第４の実施形態において第３の実施形態と異なるのは、表示体１の各セグメント領域１ａ〜１ｇごとに、その対抗する側縁に沿って配設された各セグメント照明体間に、その表示面側に重なるように、各セグメント照明体からの光を散乱させながら導く導光シート８を配置した点である。したがって、各導光シート８は各セグメント領域１ａ〜１ｇごとに独立して設けられている。
【手続補正５】
【補正対象書類名】明細書
【補正対象項目名】００３４
【補正方法】変更
【補正の内容】
【００３４】
この実施形態では、各セグメント照明体２ａ〜２ｇ、および背景領域１Ｂａ，１Ｂｂの発光源４が発光すると、その光が対応する導光シート８に幅方向の両側からそれぞれ入射し、いずれも散乱しながら導光シート８全体に広がり、その下側のセグメント領域を均一な明るさで照明する。したがって、そのセグメント領域が白表示状態になっていれば、幅方向にも均一な明るさで白いセグメントとして見える。したがって、表示の明瞭性が大幅に向上する。なお、導光シート８の詳細については後述する。
【手続補正６】
【補正対象書類名】明細書
【補正対象項目名】００３５
【補正方法】変更
【補正の内容】
【００３５】
〔第５の実施形態〕
次に、この発明による表示装置のより具体的な実施形態である第５の実施形態を、図９〜図１５を参照して説明する。
図９はその表示装置の外観を示す平面図、図１０はそのＸ−Ｘ線に沿う略断面図、図１１はその表示装置を構成する表示体側ユニットの平面図、図１２はマスク板側ユニットの裏面図である。
この表示装置は、図１１に示す表示体側ユニット１０と、同一外形の図１２に示すマスク板側ユニット２０（図示の状態から表裏を反転して）とが、重ね合わされ、図１０に示すようにねじ２９によって結合されて構成されている。
【手続補正７】
【補正対象書類名】明細書
【補正対象項目名】００３７
【補正方法】変更
【補正の内容】
【００３７】
屋外で使用する場合には、このマスク板２１をアルミニウム板、銅板、鉄板等の熱伝導性のよい金属板で形成するのが望ましい。それによって、太陽光の熱を放熱したりケース本体に逃がしたりし易くなる。また、大型の表示装置の場合でも充分な耐久性が得られる。しかし、屋内で使用する場合や小型の表示装置の場合などは、樹脂などで作製してもよい。
また、このマスク板２１の外表面は、後述する表示体１１のセグメント領域以外の領域である背景領域と同等の色又は反射率を有するようにするのが、表示のコントラストを向上させるために望ましい。
【手続補正８】
【補正対象書類名】明細書
【補正対象項目名】００４４
【補正方法】変更
【補正の内容】
【００４４】
これらの各セグメント照明体２２ａ〜２２ｇを共通に説明する場合はセグメント照明体２２と称する。この実施形態ではその各セグメント照明体２２として、後述する同じ構造で同じ寸法のものを１８個使用する。それによって製造コストを節減することができる。
そして、同じセグメント領域を照明する複数のセグメント照明体２２（例えば３個のセグメント照明体２２ｂ）を互いに直列に接続して、その配線２６の一部を幅の狭い渡り部２１ｗを通してマスク板２１の裏面を這わせ、その各組の配線２６の両端部をマスク板２１の側縁部２１ｉに取り付けた給電用のコネクタ２７の各端子（図示されていない）に接続する。
このようにすれば、各セグメント照明体２２の配線処理を容易に、且つ外部から全く見えないようにすることができる。なお、同じセグメント領域を照明する複数のセグメント照明体２２を互いに並列に接続して給電するように配線してもよい。そうすれば、配線は増えるが、全てのセグメント照明体２２に同じ電圧（例えば１２Ｖ）を印加することができる。
【手続補正９】
【補正対象書類名】明細書
【補正対象項目名】００４５
【補正方法】変更
【補正の内容】
【００４５】
このマスク板側ユニット２０を図１２に示す状態から表裏を反転して表側を上にし、図１１に示した表示体側ユニット１０上に重ね合わせて、ねじ２９をマスク板２１のねじ孔２１ｈに挿入してスペーサ柱１５の雌ねじ穴にねじ込んで固着すると、図９に示した外観および図１０に示した断面の表示装置が完成する。この完成状態では、表示体側ユニット１０の表示体１１の各セグメント領域１１ａ〜１１ｇ以外の部分はマスク板２１によってすべてマスクされ、マスク板側ユニット２０側の各セグメント照明体２２ａ〜２２ｇ及びその配線や反射層又は光拡散層２４もマスク板２１の裏面に設けられているので、完全にマスクされており、すっきりとした見映えのよい外観となる。
【手続補正１０】
【補正対象書類名】明細書
【補正対象項目名】００４６
【補正方法】変更
【補正の内容】
【００４６】
また、この完成状態で、表示体側ユニット１０の支持板１２とマスク板側ユニット２０のマスク板２１とは、スペーサ柱１５によって所定の間隙を形成し、セグメント照明体２２が表示体１１との間に若干隙間を有し、幾分上方から各セグメント領域１１ａ〜１１ｇを均等に照明しやすいようにしている。
図１０における表示体１１は模式的に示しており、セグメント領域１１ｅは黒で黒表示状態であることを、セグメント領域１１ｇは白で白表示状態であることをそれぞれ示し、それ以外の部分は背景領域であり実際には黒表示状態であるが、セグメント領域１１ｅと区別できるように斜線を施して示している。なお、その背景領域は、マスク板２１によってマスクされているため表側からは見えないので、白表示状態でも、あるいはその部分が動作しなくても、特に問題はない。
【手続補正１１】
【補正対象書類名】明細書
【補正対象項目名】００４７
【補正方法】変更
【補正の内容】
【００４７】
そして、白表示状態のセグメント領域１１ｇを照明するセグメント照明体２２ｇのみが発光して、セグメント領域１１ｇを両側から照明しており、そのセグメント領域１１ｇからの反射光がマスク板２１の開口２１ｇを通して明るい白に見える。セグメント照明体２２ｇが黄色い光で照明する場合には、セグメント領域１１ｇが明るい黄色に見える。
このように、セグメント領域１１ａ〜１１ｇを表示すべき数字に合わせて選択的に白表示状態および黒表示状態にして、白表示状態になったセグメント領域を照明するセグメント照明体のみを発光させることにより、暗所でもコントラストよく数字を表示することができる。
【手続補正１２】
【補正対象書類名】明細書
【補正対象項目名】００４８
【補正方法】変更
【補正の内容】
【００４８】
ここで、セグメント照明体２２の構造を図１３および図１４によって説明する。
このセグメント照明体２２は、発光源３４と、その発光源３４の発光光をガイドする導光板３２と、その導光板３２におけるセグメント領域を照明する光の出射面以外の外周面を覆う反射シート（フィルム）３３とを備えている。
図１３および図１４に示す具体例では、絶縁性で薄く細長い基板３１上に３個の発光源３４が長手方向に間隔を置いて配設され、基板３１上にパターン形成されたリード線３６によって直列に接続されており、そのリード線３６の両端部が、基板３１の後方に突出した端子部３１ａの一対のハンダ部３５に接続されている。その端子部３１ａ上にツェナダイオード３７と抵抗３８とが設けられ、互いに並列に接続されて発光源３４と直列に接続されている。なお、３個の発光源３４を互いに並列に接続してもよい。
【手続補正１３】
【補正対象書類名】明細書
【補正対象項目名】００４９
【補正方法】変更
【補正の内容】
【００４９】
導光板３２は細長いアクリル板で、両端部３２ｅに比べてその間の部分は幅が狭くなっており、その光の出射面となる前面３２ａは両端部３２ｅの前端より幾分引っ込んでおり、発光源３４による発光光の入射面となる後面３２ｂも両端部３２ｅの後端より引っ込んでいる。両端部３２ｅには、それぞれ透孔３２ｃが形成されている。
そして、この導光板３２の前面３２ａ以外の外周面を覆うように内側の面が反射性を有する反射シート３３を貼り付けて、その導光板３２を各発光源３４の発光面が後面３２ｂに近接して対向するように配置して、反射シート３３の下面を導光板３２上に貼り付けて構成する。
【手続補正１４】
【補正対象書類名】明細書
【補正対象項目名】００５０
【補正方法】変更
【補正の内容】
【００５０】
発光源３４として白色ＬＥＤを使用すれば白色光で照明することができる。各発光源３４の発光光は導光板３２の後面３２ｂからその内部に入射し、導光板３２に表面あるいは、反射シート３３によって反射されることを繰り返すことによって、長さ方向の全体に略均一な明るさになって前面３２ａから出射して、表示体１１の対応するセグメント領域を照明する。
ツェナダイオード３７は直列に接続した３個の発光源３４に印加する電圧を一定にするために、抵抗３８は直列に接続した３個の発光源３４に流れる電流を制限するために介挿している。
【手続補正１５】
【補正対象書類名】明細書
【補正対象項目名】００５１
【補正方法】変更
【補正の内容】
【００５１】
この実施形態の表示装置は、明るい環境においては、電気泳動表示シートによる表示体１１の各セグメント領域１１ａ〜１１ｇの前述した白表示状態と黒表示状態を制御することにより、図１５に示すように任意の数字を白表示することができる。
図１５において、ハッチングを施したセグメント領域１１ａ，１１ｇは黒表示状態であり、それ以外のセグメント領域１１ｂ，１１ｃ，１１ｄ，１１ｅ，１１ｆは白表示状態である。マスク板２１の表面はセグメント領域１１ａ，１１ｇとは異なるハッチングを施して示しているが、実際にはそれと殆ど同じ黒色に塗装されており、白で示した白表示状態のセグメント領域１１ｂ，１１ｃ，１１ｄ，１１ｅ，１１ｆによって数字の「２」をコントラストよく白表示している。
【手続補正１６】
【補正対象書類名】明細書
【補正対象項目名】００５３
【補正方法】変更
【補正の内容】
【００５３】
さらに、図１２に示した各セグメント照明体２２ａ〜２２ｇの発光を、図１１に示した表示体１１の各セグメント領域１１ａ〜１１ｇの白表示状態と黒表示状態の制御に連動させて、白表示状態（高反射率状態）となったセグメント領域を照明するセグメント照明体２２のみを発光させるようにすれば、黒表示状態（低反射率状態）になったセグメント領域は照明されないのでその黒さが増し、一層コントラストが高い白表示ができる。しかも、発光させるセグメント照明体２２の数が減少するので、消費電力の一層の低減を図ることもできて望ましい。
【手続補正１７】
【補正対象書類名】明細書
【補正対象項目名】００５５
【補正方法】変更
【補正の内容】
【００５５】
さらに、この実施形態を種々に変更することが可能であり、セグメント照明体２２における発光源３４の種類や数、導光板３２の形状や色も種々変更可能である。
例えば、発光源３４として図６に示したセグメントカラー照明体２Ｃと同様に、発光色が異なる複数の発光源（赤色ＬＥＤ、緑色ＬＥＤ、および青色ＬＥＤ等）を使用し、その点灯すなわち発光の組み合わせによって、セグメント領域を照明する光の色彩を可変にすることもできる。それによって、表示する数字全体あるいはセグメントによって、表示色を各種の色に変えることができ、赤色ＬＥＤ、緑色ＬＥＤ、および青色ＬＥＤを全て発光させて白色表示をすることもできる。
【手続補正１８】
【補正対象書類名】明細書
【補正対象項目名】００５８
【補正方法】変更
【補正の内容】
【００５８】
表示体１１の各セグメント領域１１ａ〜１１ｇ以外の領域は、マスク板２１で遮光されており、マスク板２１によりセグメント照明体２２は表示面側から見えることはない。そして、マスク板２１の表示面側を黒塗料等で黒状態にしておくことで、明るい環境では白表示状態のセグメント領域の組み合わせによって、数字が黒背景に白表示される。
数字を黒表示する場合は、マスク板２１の表示面側を白塗料で白くしておくことによって、同様に数字が白背景に黒表示され、表示タイプに合わせて、黒または白に塗装することが、表示のコントラストを向上させるために望ましい。
【手続補正１９】
【補正対象書類名】明細書
【補正対象項目名】００６０
【補正方法】変更
【補正の内容】
【００６０】
〔第６の実施形態〕
次に、この発明による表示装置のより具体的な実施形態である第６の実施形態を、図１６〜図１８を参照して説明する。
図１６はその表示装置の外観を示す平面図、図１７はそのＸ−Ｘ線に沿う略断面図、図１８はその一部拡大図である。
【手続補正２０】
【補正対象書類名】明細書
【補正対象項目名】００６１
【補正方法】変更
【補正の内容】
【００６１】
この実施形態において第５の実施形態と異なる点は、マスク板２１の裏面における上記各開口２１ａ〜２１ｇと、表示体１１の各セグメント領域１１ａ〜１１ｇとの間に、各セグメント領域ごとにその対向する両側縁に沿ってそれぞれ配設されたセグメント照明体（図１７ではセグメント照明体２２ｅ、２２ｅと２２ｇ、２２ｇ）の間に、その各セグメント照明体からの光を散乱させながら導く導光シート８を介在させて設けている点だけである。
図１６において、各セグメント領域１１ａ〜１１ｇに対応する導光シート８の輪郭線を破線で示している。このマスク板２１の各開口２１ａ〜２１ｇの外側の部分で各導光シート８をマスク板２１の裏面に貼り付けることができる。
【手続補正２１】
【補正対象書類名】明細書
【補正対象項目名】００６６
【補正方法】変更
【補正の内容】
【００６６】
電気泳動表示層２１３はマイクロカプセル表示層とも称され、バインダや界面活性剤、増粘剤、純水等の混合体中に直径が数十μｍ程度の微小なマイクロカプセル２２０が多数分散している。そのマイクロカプセル２２０は、図２０に示すように、透明なメタクリル樹脂等からなるカプセル殻２２１の内部に、酸化チタン等からなる白色粒子２２３とカーボンブラック等からなる黒色粒子２２４が、シリコーンオイル等の粘性の高い透明な分散媒２２２に分散された状態で封入されている。そして、白色粒子２２３は負に帯電され、黒色粒子２２４は正に帯電されている。
【手続補正２２】
【補正対象書類名】明細書
【補正対象項目名】００６８
【補正方法】変更
【補正の内容】
【００６８】
図２０における中央のマイクロカプセル２２０のように、負電圧が印加された電極パターンと正電圧が印加された電極パターンとに跨った位置のマイクロカプセル２２０内では、白色粒子２２３の一部は透明電極２１２側へ、残りは電極２１６側へ移動し、黒色粒子２２４の一部は電極２１６側へ移動し、残りは透明電極２１２側へ移動するので、マイクロカプセルの直径よりも、細かい表示も可能である。
この電気泳動表示シート２１０はシート状で薄く、電圧を印加して表示状態を変化させた後、その電圧の印加を停止してもその表示状態を保持するメモリ性効果を持つので、消費電力が極めて僅かで済む。
【手続補正２３】
【補正対象書類名】明細書
【補正対象項目名】００７４
【補正方法】変更
【補正の内容】
【００７４】
この発明による表示装置の表示体としては、これらの他に表裏面で色が異なる表示板を磁力で回転させて表示を行う磁気反転表示器なども使用可能であるが、それも公知であるので、その説明は省略する。
【手続補正２４】
【補正対象書類名】明細書
【補正対象項目名】００７６
【補正方法】変更
【補正の内容】
【００７６】
その時刻表示ユニット７は、ケース７０の全面パネルに形成された５つの窓内に４個の数字表示部７１〜７４とその２個ずつの間にコロン表示部７５が配設されている。数字表示部７１〜７４は前述した図９の外観を示したような７セグメントで数字を表示する表示装置であり、数字表示部７１，７２は「時」を表示し、数字表示部７３，７４は「分」を表示する。コロン表示部７５は、縦に並んだ２つの小さな円形のセグメント領域を有する同様な表示装置である。
【手続補正２５】
【補正対象書類名】明細書
【補正対象項目名】００７７
【補正方法】変更
【補正の内容】
【００７７】
そして、数字表示部７１は９時から１０時に変わる時と１２時から１時に変わる時だけ、数字表示部７２は１時間に１回、数字表示部７３は１０分間に１回、数字表示部７４は１分間に１回、それぞれ必要なセグメント電極にのみ短時間（２００〜８００ｍｓ）電圧を印加するだけでよい。
各背景電極には一度正電圧を印加して背景を黒表示にすれば、当分電圧を印加する必要はないが、時々リフレッシュしてきれいな黒表示状態にするため、一旦負電圧を短時間印加した後正電圧を短時間印加するリフレッシュ処理を適当な時間間隔で行うとよい。
コロン表示部７５の円形のセグメント電極には、１秒ごとに負電圧と正電圧を交互に短時間（２００〜８００ｍｓ）印加して、点滅表示させる。しかし、電力消費量を減らすために、コロン表示部７５は、白表示に固定してもよい。
【手続補正２６】
【補正対象書類名】明細書
【補正対象項目名】００８０
【補正方法】変更
【補正の内容】
【００８０】
発光駆動回路５５は、表示駆動回路５４による各セグメント領域の反射率を変化させる動作、すなわち電圧印加と連動して各セグメント照明体２２の発光を制御し、各セグメント領域のうち高反射率状態になったセグメント領域を照明するセグメント照明体２２のみを発光させる。但し、そのセグメント照明体２２の発光は、セグメント領域のセグメント電極に電圧が印加されている間だけではなく、そのセグメント領域が高反射率状態（白表示状態）になっている間は発光を継続させる。
【手続補正２７】
【補正対象書類名】明細書
【補正対象項目名】００８６
【補正方法】変更
【補正の内容】
【００８６】
【図９】この発明による表示装置の具体的な実施形態である第５の実施形態の平面図である。
【図１０】図９のＸ−Ｘ線に沿う略断面図である。
【図１１】その表示装置を構成する表示体側ユニットの平面図である。
【図１２】その表示装置を構成するマスク板側ユニットの裏面図である。
【図１３】その表示装置に使用するセグメント照明体の平面図である。
【図１４】図１３のＹ−Ｙ線に沿う断面図である。
【手続補正２８】
【補正対象書類名】明細書
【補正対象項目名】００８８
【補正方法】変更
【補正の内容】
【００８８】
１：表示体      １Ｂ：背景領域      ２ａ〜２ｇ：セグメント照明体
２Ｃ：セグメントカラー照明体      ３：基板    ４：発光源 
５，６：セグメント照明体ユニット      ７：時刻表示ユニット
８：導光シート        １０：表示体側ユニット      
１１：表示体（電気泳動表示シート）
１１ａ〜１１ｇ：セグメント領域      １１Ｂ：背景領域      １２：支持板
１３：位置決め枠      １４：反射層又は光拡散層      １５：スペーサ柱
２０：マスク板側ユニット    ２１ａ〜２１ｇ：開口      ２１ｉ：側縁部
２１ｈ：ねじ孔      ２１ｗ：渡り部
２２，２２ａ〜２２ｇ：セグメント照明体      ２６：配線      
２４：反射層又は光拡散層      ２７：給電用のコネクタ
３１：基板      ３１ａ：基板の端子部      ３２：導光板      
３３：反射シート      ３４：発光源      ３５：ハンダ部      
３６：リード線      ３７：ツェナダイオード      ３８：抵抗
【手続補正２９】
【補正対象書類名】図面
【補正対象項目名】図１
【補正方法】変更
【補正の内容】
【図１】
2009134290.tif 000001
【手続補正３０】
【補正対象書類名】図面
【補正対象項目名】図７
【補正方法】変更
【補正の内容】
【図７】
2009134290.tif 000002
【手続補正３１】
【補正対象書類名】図面
【補正対象項目名】図１１
【補正方法】変更
【補正の内容】
【図１１】
2009134290.tif 000003
【手続補正３２】
【補正対象書類名】図面
【補正対象項目名】図１２
【補正方法】変更
【補正の内容】
【図１２】
2009134290.tif 000004